(57)【特許請求の範囲】
【請求項１】
構造物の検査を支援する検査支援装置であって、
前記構造物の二次元図面を表す図面データを取得する図面データ取得部と、
前記構造物の検査位置に対応する前記二次元図面上の座標を示す座標情報と、前記検査位置における属性であって、検査内容を含む複数種類の属性とアイコンと通芯とを含む前記属性を示す属性情報と、が互いに関連付けられた地図情報データであって、ＧＩＳ表示機能による表示に用いられる地図情報データを取得する地図情報データ取得部と、
操作を受け付ける操作受付部と、
ＧＩＳ表示機能を有し、前記図面データに基づいて前記二次元図面を表示するとともに、前記地図情報データに基づいて、前記アイコンと前記通芯とを、前記二次元図面上の前記検査位置に表示し、前記操作受付部が前記アイコンを選択する前記操作を受け付けたことに応じて、選択された前記アイコンが表示された前記検査位置に対応する座標に関連付けられた前記複数種類の属性を表示する表示部と、を備える、検査支援装置。
【請求項２】
請求項１に記載の検査支援装置であって、
前記検査位置は、前記構造物を構成する構成部材上に設定されており、
少なくとも１つの前記構成部材には、複数の前記検査位置が設定されている、検査支援装置。
【請求項３】
請求項２に記載の検査支援装置であって、
少なくとも１つの前記構成部材に設定された複数の前記検査位置の内、第１の前記検査位置に対応する前記座標に関連付けられた前記検査内容と、第２の前記検査位置に対応する前記座標に関連付けられた前記検査内容とは、互いに異なる、検査支援装置。
【請求項４】
請求項１から請求項３までのいずれか一項に記載の検査支援装置であって、
前記属性は、検査結果と、複数種類の前記アイコンとを含み、
前記地図情報データは、前記二次元図面上の前記検査位置に対応する前記座標に、特定の種類の前記アイコンを関連付けることが可能なデータであり、
前記表示部は、前記操作受付部が前記属性としての前記検査結果を指定する前記操作を受け付けたことに応じて、前記二次元図面上の前記検査結果に関連付けられた前記検査位置に表示される前記アイコンの種類を切り替える、検査支援装置。
【請求項５】
請求項４に記載の検査支援装置であって、
前記複数種類の前記アイコンは、互いに表示色の異なる複数の前記アイコンを含み、
前記表示部は、前記操作受付部が前記属性としての前記検査結果を指定する前記操作を受け付けたことに応じて、前記二次元図面上の前記検査結果に関連付けられた前記検査位置に表示される前記アイコンの表示色を切り替える、検査支援装置。
【請求項６】
請求項１から請求項５までのいずれか一項に記載の検査支援装置であって、
前記属性は、検査結果を含み、
前記検査支援装置は、さらに、
前記属性としての前記検査結果を含む前記検査位置の検査帳票を表す検査帳票データを作成する検査帳票作成部を備える、検査支援装置。
【請求項７】
請求項６に記載の検査支援装置であって、さらに、
被写体を撮影することにより画像を表す画像データを生成する撮影部を備え、
前記検査帳票には、前記撮影部が前記検査位置に位置する前記被写体を撮影することにより生成された前記属性としての前記画像が含まれる、検査支援装置。
【請求項８】
請求項６または請求項７に記載の検査支援装置であって、さらに、
前記二次元図面の表示画像を取得する表示画像取得部と、
前記表示画像に第１の付加画像を追加する第１付加画像追加部と、を備え、
前記検査帳票には、前記表示画像取得部により取得された前記二次元図面の前記検査位置を含む前記表示画像であって、前記第１付加画像追加部により前記検査位置に対応する領域に前記第１の付加画像が追加された前記表示画像が含まれる、検査支援装置。
【請求項９】
請求項１から請求項８までのいずれか一項に記載の検査支援装置であって、
前記属性は、画像を含み、
前記地図情報データは、前記二次元図面上の前記検査位置に対応する前記座標に、前記属性としての複数の前記画像を関連付けることが可能なデータである、検査支援装置。
【請求項１０】
請求項１から請求項９までのいずれか一項に記載の検査支援装置であって、
前記属性情報は、画像と前記画像に対応するサムネイル画像とを含む複数種類の属性を示す情報であり、
前記表示部は、前記二次元図面と、前記検査位置における他の種類の前記属性と、の少なくとも一方とともに、前記属性としての前記サムネイル画像を表示する、検査支援装置。
【請求項１１】
請求項１０に記載の検査支援装置であって、
前記表示部は、前記操作受付部が前記表示部に表示された前記サムネイル画像を選択する前記操作を受け付けたことに応じて、前記サムネイル画像に対応する前記画像を表示する、検査支援装置。
【請求項１２】
請求項１０または請求項１１に記載の検査支援装置であって、さらに、
前記表示部に表示された前記画像に第２の付加画像を追加する第２付加画像追加部を備え、
前記表示部は、前記画像への前記第２の付加画像の追加に応じて、前記第２の付加画像が追加された後の前記画像を表示する、検査支援装置。
【請求項１３】
構造物の検査を支援する検査システムであって、
データ生成装置と、
検査支援装置と、を備え、
前記データ生成装置は、
前記構造物の二次元図面を表す図面データを取得する図面データ取得部と、
前記構造物の検査位置に対応する前記二次元図面上の座標を示す座標情報と、前記検査位置における属性であって、検査内容を含む複数種類の属性とアイコンと通芯とを含む前記属性を示す属性情報と、が互いに関連付けられた地図情報データであって、ＧＩＳ表示機能による表示に用いられる地図情報データを生成する地図情報データ生成部と、
前記図面データと前記地図情報データとを前記検査支援装置に送信する本体通信部と、を有し、
前記検査支援装置は、
前記データ生成装置から送信される前記図面データと前記地図情報データとを受信する端末通信部と、
操作を受け付ける操作受付部と、
ＧＩＳ表示機能を有し、前記図面データに基づいて前記二次元図面を表示するとともに、前記地図情報データに基づいて、前記アイコンと前記通芯とを、前記二次元図面上の前記検査位置に表示し、前記操作受付部が前記アイコンを選択する前記操作を受け付けたことに応じて、選択された前記アイコンが表示された前記検査位置に対応する座標に関連付けられた前記複数種類の属性を表示する表示部と、を有する、検査システム。
【請求項１４】
請求項１３に記載の検査システムであって、
前記属性は、検査結果を含み、
前記本体通信部は、前記操作受付部が前記検査結果を指定する前記操作を受け付けたことに応じて、指定された前記検査結果を前記検査支援装置から受信し、
前記地図情報データ生成部は、前記本体通信部が前記検査支援装置から前記検査結果を受信したことに応じて、前記属性情報を更新する、検査システム。
【請求項１５】
請求項１４に記載の検査システムであって、
前記属性は、複数種類の前記アイコンを含み、
前記地図情報データは、前記二次元図面上の前記検査位置に対応する前記座標に、特定の種類の前記アイコンを関連付けることが可能なデータであり、
前記データ生成装置は、さらに、
前記図面データに基づいて前記二次元図面を表示するとともに、前記地図情報データに基づいて、前記アイコンを、前記二次元図面上の前記検査位置に表示し、前記本体通信部が前記検査支援装置から前記検査結果を受信したことに応じて、前記二次元図面上の前記検査結果に関連付けられた前記検査位置に表示される前記アイコンの種類を切り替える本体表示部を有する、検査システム。
【請求項１６】
請求項１５に記載の検査システムであって、
複数の前記検査支援装置を備え、
前記本体通信部は、各前記検査支援装置から前記検査結果を受信する、検査システム。
【請求項１７】
請求項１３から請求項１６までのいずれか一項に記載の検査システムであって、
前記属性は、検査結果を含み、
前記データ生成装置は、さらに、
前記属性としての前記検査結果を含む前記検査位置の検査帳票を表す検査帳票データを作成する検査帳票作成部を有する、検査システム。
【発明の詳細な説明】
【技術分野】
【０００１】
本明細書に開示される技術は、検査支援装置に関する。
【背景技術】
【０００２】
建築物や土木構造物等の構造物の施工検査に利用される検査支援装置が知られている。このような検査支援装置は、検査に関するデータを作成するデータ生成装置から取得したデータに基づいて、表示部に各検査位置の検査内容を表示する。検査員は、検査支援装置の表示部に表示される検査内容を参照しつつ各検査位置の施工検査を行う。このような検査支援装置において、各検査位置における検査内容を、検査位置から引出線により引き出して表示する検査支援装置が知られている（例えば特許文献１参照）。
【先行技術文献】
【特許文献】
【０００３】
【特許文献１】特開２００９−２１７６９４号公報
【発明の概要】
【発明が解決しようとする課題】
【０００４】
従来の検査支援装置は、構造物の二次元図面上に検査内容（例えば、仕様データ）や検査結果（例えば、写真）などの検査位置における複数種類の属性をすべて同時に表示する。そのため、例えば検査位置に複数種類の属性が関連付けられていると、各検査位置から複数の属性が引き出され、属性の表示が乱雑となるとともに、属性と検査位置との対応関係が不明瞭となる問題が発生する。
【０００５】
本明細書では、上述した課題の少なくとも一部を解決することが可能な技術を開示する。
【課題を解決するための手段】
【０００６】
本明細書に開示される技術は、例えば、以下の形態として実現することが可能である。
【０００７】
（１）本明細書に開示される検査支援装置は、構造物の検査を支援する検査支援装置であって、前記構造物の二次元図面を表す図面データを取得する図面データ取得部と、前記構造物の検査位置に対応する前記二次元図面上の座標を示す座標情報と、前記検査位置における属性であって、検査内容を含む複数種類の属性とアイコンとを含む前記属性を示す属性情報と、が互いに関連付けられた地図情報データを取得する地図情報データ取得部と、操作を受け付ける操作受付部と、前記図面データに基づいて前記二次元図面を表示するとともに、前記地図情報データに基づいて、前記アイコンを、前記二次元図面上の前記検査位置に表示し、前記操作受付部が前記アイコンを選択する前記操作を受け付けたことに応じて、選択された前記アイコンが表示された前記検査位置に対応する座標に関連付けられた前記複数種類の属性を表示する表示部と、を備える。本検査支援装置によれば、表示部は、図面データに基づいて構造物の二次元図面を表示するとともに、地図情報データに基づいて検査位置における属性を表示する。表示部は、属性を表示する際に、二次元図面上の検査位置にアイコンを表示し、アイコンに対する選択操作が受け付けられたことに応じて、検査内容を含む複数種類の属性を表示する。アイコンは、二次元図面上の検査位置に表示されるので、アイコンによって検査位置を容易に把握することができる。また、二次元図面上の検査位置には、アイコン以外の複数種類の属性が表示されないので、属性の存在の表示が乱雑となることを抑制することができる。さらに、アイコン以外の複数種類の属性は、アイコンへの選択操作により表示されるため、アイコンへの選択操作により所望の検査位置における複数種類の属性を表示させることができるとともに、アイコンを介して複数種類の属性と検査位置との対応関係を明瞭とすることができる。
【０００８】
（２）上記検査支援装置において、前記検査位置は、前記構造物を構成する構成部材上に設定されており、少なくとも１つの前記構成部材には、複数の前記検査位置が設定されている構成としてもよい。本検査支援装置によれば、例えば部分毎に仕様が異なる構成部材に対して、部分毎に検査位置を設定することができる。
【０００９】
（３）上記検査支援装置において、少なくとも１つの前記構成部材に設定された複数の前記検査位置の内、第１の前記検査位置に対応する前記座標に関連付けられた前記検査内容と、第２の前記検査位置に対応する前記座標に関連付けられた前記検査内容とは、互いに異なる構成としてもよい。本検査支援装置によれば、例えば部分毎に仕様が異なる構成部材に対して、部分毎に異なる検査内容を対応付けることができる。
【００１０】
（４）上記検査支援装置において、前記属性は、検査結果と、複数種類の前記アイコンとを含み、前記地図情報データは、前記二次元図面上の前記検査位置に対応する前記座標に、特定の種類の前記アイコンを関連付けることが可能なデータであり、前記表示部は、前記操作受付部が前記属性としての前記検査結果を指定する前記操作を受け付けたことに応じて、前記二次元図面上の前記検査結果に関連付けられた前記検査位置に表示される前記アイコンの種類を切り替える構成としてもよい。本検査支援装置によれば、ユーザは、表示部に表示されるアイコンの種類により、アイコンを選択する操作を行うことなく、検査位置における検査結果を確認することができ、利便性を向上させることができる。
【００１１】
（５）上記検査支援装置において、前記複数種類の前記アイコンは、互いに表示色の異なる複数の前記アイコンを含み、前記表示部は、前記操作受付部が前記属性としての前記検査結果を指定する前記操作を受け付けたことに応じて、前記二次元図面上の前記検査結果に関連付けられた前記検査位置に表示される前記アイコンの表示色を切り替える構成としてもよい。本検査支援装置によれば、ユーザは、表示部に表示されるアイコンの表示色により、アイコンを選択する操作を行うことなく、検査位置における検査結果を確認することができ、利便性を向上させることができる。
【００１２】
（６）上記検査支援装置において、前記属性は、検査結果を含み、前記検査支援装置は、さらに、前記属性としての前記検査結果を含む前記検査位置の検査帳票を表す検査帳票データを作成する検査帳票作成部を備える構成としてもよい。本検査支援装置によれば、検査帳票作成部により検査位置の検査帳票を示す検査帳票情報が作成されるので、ユーザは、自ら検査帳票情報を作成する必要がなく、利便性を向上させることができる。
【００１３】
（７）上記検査支援装置において、さらに、被写体を撮影することにより画像を表す画像データを生成する撮影部を備え、前記検査帳票には、前記撮影部が前記検査位置に位置する前記被写体を撮影することにより生成された前記属性としての前記画像が含まれる構成としてもよい。本検査支援装置によれば、ユーザは、検査帳票を確認することで、検査結果とともに、検査位置に位置する被写体の画像を確認することができる。
【００１４】
（８）上記検査支援装置において、さらに、前記二次元図面の表示画像を取得する表示画像取得部と、前記表示画像に第１の付加画像を追加する第１付加画像追加部と、を備え、前記検査帳票には、前記表示画像取得部により取得された前記二次元図面の前記検査位置を含む前記表示画像であって、前記第１付加画像追加部により前記検査位置に対応する領域に前記第１の付加画像が追加された前記表示画像が含まれる構成としてもよい。本検査支援装置によれば、ユーザは、検査帳票を確認することで、検査結果とともに、二次元図面上の検査位置を確認することができる。特に、検査帳票に含まれる表示画像には、第１付加画像追加部により第１の付加画像が追加されているので、第１の付加画像が追加されていない場合に比べて、二次元図面上の検査位置を容易に確認することができる。
【００１５】
（９）上記検査支援装置において、前記属性は、画像を含み、前記地図情報データは、前記二次元図面上の前記検査位置に対応する前記座標に、前記属性としての複数の前記画像を関連付けることが可能なデータである構成としてもよい。本検査支援装置によれば、検査位置に関連付けて、例えば是正工事前後の画像や、検査位置において同じ被写体を異なる角度から撮影した複数の画像等を保持することができる。
【００１６】
（１０）上記検査支援装置において、前記属性情報は、画像と前記画像に対応するサムネイル画像とを含む複数種類の属性を示す情報であり、前記表示部は、前記二次元図面と、前記検査位置における他の種類の前記属性と、の少なくとも一方とともに、前記属性としての前記サムネイル画像を表示する構成としてもよい。本検査支援装置によれば、ユーザは、表示部に表示されるサムネイル画像により、検査位置に対応する座標に関連付けられた画像を確認することができる。また、サムネイル画像は、二次元図面や検査位置における他の種類の属性とともに表示部に表示されるので、二次元図面や検査位置における他の種類の属性と、検査位置に対応する座標に関連付けられた画像とが対応するものであるか否かを確認することができる。
【００１７】
（１１）上記検査支援装置において、前記表示部は、前記操作受付部が前記表示部に表示された前記サムネイル画像を選択する前記操作を受け付けたことに応じて、前記サムネイル画像に対応する前記画像を表示する構成としてもよい。本検査支援装置によれば、ユーザは、表示部に表示されるサムネイル画像を選択する操作を行うことで、サムネイル画像に対応する画像を詳細に確認することができる。
【００１８】
（１２）上記検査支援装置において、さらに、前記表示部に表示された前記画像に第２の付加画像を追加する第２付加画像追加部を備え、前記表示部は、前記画像への前記第２の付加画像の追加に応じて、前記第２の付加画像が追加された後の前記画像を表示する構成としてもよい。本検査支援装置によれば、ユーザは、第２付加画像追加部を用いて第２の付加画像を追加することで、第２の付加画像を追加しない場合に比べて、画像に含まれる特定の内容を容易に他人に伝達することができる。
【００１９】
（１３）本明細書に開示される検査システムは、構造物の検査を支援する検査システムであって、データ生成装置と、検査支援装置と、を備え、前記データ生成装置は、前記構造物の二次元図面を表す図面データを取得する図面データ取得部と、前記構造物の検査位置に対応する前記二次元図面上の座標を示す座標情報と、前記検査位置における属性であって、検査内容を含む複数種類の属性とアイコンとを含む前記属性を示す属性情報と、が互いに関連付けられた地図情報データを生成する地図情報データ生成部と、前記図面データと前記地図情報データとを前記検査支援装置に送信する本体通信部と、を有し、前記検査支援装置は、前記データ生成装置から送信される前記図面データと前記地図情報データとを受信する端末通信部と、操作を受け付ける操作受付部と、前記図面データに基づいて前記二次元図面を表示するとともに、前記地図情報データに基づいて、前記アイコンを、前記二次元図面上の前記検査位置に表示し、前記操作受付部が前記アイコンを選択する前記操作を受け付けたことに応じて、選択された前記アイコンが表示された前記検査位置に対応する座標に関連付けられた前記複数種類の属性を表示する表示部と、を有する。本検査システムによれば、表示部は、図面データに基づいて構造物の二次元図面を表示するとともに、地図情報データに基づいて検査位置における属性を表示する。表示部は、属性を表示する際に、二次元図面上の検査位置にアイコンを表示し、アイコンに対する選択操作が受け付けられたことに応じて、検査内容を含む複数種類の属性を表示する。アイコンは、二次元図面上の検査位置に表示されるので、アイコンによって検査位置を容易に把握することができる。また、二次元図面上の検査位置には、アイコン以外の複数種類の属性が表示されないので、属性の存在の表示が乱雑となることを抑制することができる。さらに、アイコン以外の複数種類の属性は、アイコンへの選択操作により表示されるため、アイコンへの選択操作により所望の検査位置における複数種類の属性を表示させることができるとともに、アイコンを介して複数種類の属性と検査位置との対応関係を明瞭とすることができる。
【００２０】
（１４）上記検査システムにおいて、前記属性は、検査結果を含み、前記本体通信部は、前記操作受付部が前記検査結果を指定する前記操作を受け付けたことに応じて、指定された前記検査結果を前記検査支援装置から受信し、前記地図情報データ生成部は、前記本体通信部が前記検査支援装置から前記検査結果を受信したことに応じて、前記属性情報を更新する構成としてもよい。本検査システムによれば、地図情報データ生成部は、本体通信部が検査支援装置から検査結果を受信したことに応じて、属性情報を更新する。そのため、属性情報が更新された地図情報データを、検査支援装置に送信することができる。
【００２１】
（１５）上記検査システムにおいて、前記属性は、複数種類の前記アイコンを含み、前記地図情報データは、前記二次元図面上の前記検査位置に対応する前記座標に、特定の種類の前記アイコンを関連付けることが可能なデータであり、前記データ生成装置は、さらに、前記図面データに基づいて前記二次元図面を表示するとともに、前記地図情報データに基づいて、前記アイコンを、前記二次元図面上の前記検査位置に表示し、前記本体通信部が前記検査支援装置から前記検査結果を受信したことに応じて、前記二次元図面上の前記検査結果に関連付けられた前記検査位置に表示される前記アイコンの種類を切り替える本体表示部を有する構成としてもよい。本検査システムによれば、データ生成装置は、二次元図面とアイコンとを表示する本体表示部を有し、本体表示部は、表示されるアイコンの種類を、検査支援装置から受信される検査結果に応じて切り替える。そのため、ユーザは、本体表示部に表示されるアイコンの種類により、検査支援装置から受信される検査結果を確認することができる。
【００２２】
（１６）上記検査システムにおいて、複数の前記検査支援装置を備え、前記本体通信部は、各前記検査支援装置から前記検査結果を受信する構成としてもよい。本検査システムによれば、ユーザは、本体表示部に表示されるアイコンの種類により、複数の検査支援装置から受信される検査結果をまとめて確認することができる。
【００２３】
（１７）上記検査システムにおいて、前記属性は、検査結果を含み、前記データ生成装置は、さらに、前記属性としての前記検査結果を含む前記検査位置の検査帳票を表す検査帳票データを作成する検査帳票作成部を有する構成としてもよい。本検査システムによれば、検査帳票作成部により検査位置の検査帳票を示す検査帳票情報が作成されるので、ユーザは、自ら検査帳票情報を作成する必要がなく、利便性を向上させることができる。
【００２４】
なお、本明細書に開示される技術は、種々の形態で実現することが可能であり、例えば、検査支援方法、それらの方法または装置の機能を実現するためのコンピュータプログラム、そのコンピュータプログラムを記録した一時的でない記録媒体等の形態で実現することが可能である。
【図面の簡単な説明】
【００２５】
【図１】検査システム１０の構成を示すブロック図である。
【図２】検査システム用データＤ１００のファイル構造を示す説明図である。
【図３】表示部２４０に図面３０を表示する図面表示画面ＨＦの一例を示す説明図である。
【図４】検査が実施される前の図面３０を表示する図面表示画面ＨＦの一例を示す説明図である。
【図５】検査が実施される前の選択検査位置ＫＬ１における検査画面ＨＳの一例を示す説明図である。
【図６】選択検査位置ＫＬ１における梁ＳＧ２の断面図ＤＡの一例を示す説明図である。
【図７】検査位置ＫＬ２における梁ＳＧ２の断面図ＤＡの一例を示す説明図である。
【図８】１回目の検査が実施された後の選択検査位置ＫＬ１における検査画面ＨＳの一例を示す説明図である。
【図９】検査結果画像ＰＨ１の表示画面を示す説明図である。
【図１０】２回目の検査が実施された後の選択検査位置ＫＬ１における検査画面ＨＳの一例を示す説明図である。
【図１１】検査が実施された後の図面３０を表示する図面表示画面ＨＦの一例を示す説明図である。
【図１２】表示部１５０に図面３０を表示する図面表示画面ＨＦの一例を示す説明図である。
【図１３】検査帳票ＣＨの一例を示す説明図である。
【発明を実施するための形態】
【００２６】
Ａ．実施形態：
Ａ−１．検査システム１０の構成：
図１は、本実施形態における検査システム１０の構成を示すブロック図である。検査システム１０は、建築物や土木構造物等の構造物の検査を支援するためのものであり、データ生成装置１００と、複数の検査支援装置２００と、図面データ保管サーバ３００と、検査システム用データ保管サーバ４００と、を備える。各装置やサーバは、ネットワークＮＷを介して互いに接続されている。データ生成装置１００は、例えばパーソナルコンピュータ等である。検査支援装置２００は、例えばタブレット型端末やスマートフォン等である。図１には、３つの検査支援装置２００が示されているが、検査システム１０に含まれる検査支援装置２００の数は、２つまたは４つ以上でもよい。
【００２７】
データ生成装置１００は、構造物の検査を管理する装置であり、制御部１１０と、記憶部１２０と、通信部１３０と、操作部１４０と、表示部１５０とを備える。記憶部１２０は、例えばハードディスクドライブ（以下、「ＨＤＤ」という）やＲＯＭ、ＲＡＭ等により構成されており、データ生成装置１００を制御するための各種プログラム、例えば、後述する検査システム用データＤ１００（図２参照）を生成するためのプログラムを記憶する。通信部１３０は、無線通信方式または有線通信方式により、外部装置と通信を行うインターフェースである。操作部１４０は、例えばキーボードやマウス等により構成され、ユーザの操作を受け付ける。表示部１５０は、例えば液晶ディスプレイ等により構成され、図面等を表示する。制御部１１０は、例えば中央制御ユニット（以下、「ＣＰＵ」という）等により構成されており、記憶部１２０から読み出したプログラムに従って、データ生成装置１００の各部を制御する。制御部１１０は、地図情報データ生成部および検査帳票作成部の一例であり、通信部１３０は、図面データ取得部および本体通信部の一例であり、表示部１５０は、本体表示部の一例である。
【００２８】
検査支援装置２００は、構造物の検査を支援する装置であり、具体的には、検査を実施する検査者が操作する作業端末である。検査支援装置２００は、制御部２１０と、記憶部２２０と、通信部２３０と、表示部２４０と、撮影部２５０と、地磁気センサ２６０と、ＧＰＳ受信部２７０とを備える。記憶部２２０は、例えばＨＤＤやＲＯＭ、ＲＡＭ等により構成されており、検査支援装置２００を制御するための各種プログラムを記憶する。通信部２３０は、無線通信方式または有線通信方式により、外部装置と通信を行うインターフェースである。表示部２４０は、例えば液晶ディスプレイ等により構成され、図面等を表示する。本実施形態では、表示部２４０は、タッチパネルを有し、ユーザによる操作を受け付ける操作受付部としても機能する。撮影部２５０は、被写体を撮影することにより画像を表す画像データを生成するカメラである。地磁気センサ２６０は、撮影部２５０の向きを特定する情報を取得するセンサである。ＧＰＳ受信部２７０は、上空にある衛星２０が送信する信号を受信することにより、自己の現在位置を特定する情報（緯度、経度および高度）を取得する装置である。制御部２１０は、例えばＣＰＵ等により構成されており、記憶部２２０から読み出したプログラムに従って、検査支援装置２００の各部を制御する。制御部２１０は、表示画像取得部、第１付加画像追加部および第２付加画像追加部の一例であるとともに検査帳票作成部の別例であり、通信部２３０は、端末通信部の一例であるとともに図面データ取得部および地図情報データ取得部の別例であり、表示部２４０または制御部２１０と表示部２４０との組み合わせは、表示部の一例であり、表示部２４０は、操作受付部の一例である。
【００２９】
図面データ保管サーバ３００は、構造物の二次元図面（以下、単に「図面」という）を表す図面データＤ３０１（図２参照）を保管する装置である。図面データＤ３０１は、例えば構造物の各階の平面図や床伏図等を表すデータであり、例えばＤＸＦ形式のデータである。図面データ保管サーバ３００には、図面データＤ３０１が予め記憶されている。
【００３０】
検査システム用データ保管サーバ４００は、検査システム用データＤ１００を保管する装置である。検査システム用データ保管サーバ４００には、データ生成装置１００により生成された検査システム用データＤ１００が記憶される。
【００３１】
図２は、検査システム用データＤ１００のファイル構造を示す説明図である。検査システム用データＤ１００は、システムデータＤ１０１と個別現場データＤ１０２とを含む。システムデータＤ１０１は、個別現場データＤ１０２を管理するためのデータであり、検査対象となる全ての構造物に共通に用いられる。システムデータＤ１０１は、例えば梁アイコンＡＧ、柱アイコンＡＣ（図４参照）またはこれらの色違いアイコン（図１０参照）を含む複数種類のアイコンを表示するためのアイコン画像データＤ２０１を含む。
【００３２】
個別現場データＤ１０２は、構造物の建設現場毎に設定されるデータである。個別現場データＤ１０２は、例えば配筋検査や鉄骨ボルト検査等、構造物に対して実施される検査の種類毎に設定される複数の検査種類別データＤ２０２を含む。各検査種類別データＤ２０２は、図面データＤ３０１と、地図情報データＤ３０２とを含む。地図情報データＤ３０２は、構造物の位置データＤ４０１と属性データＤ４０２とが互いに関連付けられたデータであり、例えばＳｈａｐｅ形式のデータである。具体的には、地図情報データＤ３０２は、位置データＤ４０１と、属性データＤ４０２と、対応関係データＤ４０３とを含む。
【００３３】
位置データＤ４０１は、構造物の各位置に対する図面上の座標を示すデータであり、具体的には、図面データＤ３０１に含まれる座標データが流用される。位置データＤ４０１は、座標情報の一例である。属性データＤ４０２は、構造物の各位置の属性を示すデータであり、具体的には、ＩＤデータＤ５０１と、アイコンデータＤ５０２と、通芯データＤ５０３と、通芯識別データＤ５０４と、検査データＤ５０６と、画像データＤ５０７と、断面図データＤ５０８とを含む。属性データＤ４０２は、属性情報の一例である。
【００３４】
ＩＤデータＤ５０１は、属性データＤ４０２の識別番号を示すデータである。アイコンデータＤ５０２は、検査支援装置２００の表示部２４０にアイコンを表示するためのデータであり、例えば、システムデータＤ１０１に含まれるアイコン画像データＤ２０１により表示可能な複数種類のアイコンから特定の種類のアイコンを選出するデータが含まれる。通芯データＤ５０３は、検査支援装置２００の表示部２４０に構造物の通芯を表示するためのデータである。通芯識別データＤ５０４は、通芯を識別する通芯識別子を表示するためのデータである。検査データＤ５０６は、構造物に設定された所定の検査位置における検査内容および検査結果を示すデータである。画像データＤ５０７は、画像および画像を縮小したサムネイル画像を示すデータであり、例えば検査支援装置２００の撮影部２５０によって生成される。断面図データＤ５０８は、構造物を構成する各構成部材の断面図（図６，図７参照）を示すデータである。断面図には、例えば構造物が鉄筋コンクリート造の建築物である場合における梁や柱の断面図が含まれる。識別番号、アイコン、通芯、通芯識別子、検査内容、検査結果、画像、サムネイル画像、および断面図は、属性の一例であり、検査内容と断面図は、検査内容の一例であり、検査内容と審査結果と画像とサムネイル画像と断面図と審査結果とは、複数種類の属性の一例である。
【００３５】
対応関係データＤ４０３は、属性データＤ４０２と位置データＤ４０１とを関連付けるデータである。つまり、属性データＤ４０２の示す特定の種類のアイコン（以下、単に「アイコン」という）や通芯等の属性は、対応関係データＤ４０３により、位置データＤ４０１の示す図面上の座標に関連付けられる。
【００３６】
検査支援装置２００の制御部２１０（図１）は、ＧＩＳ（Geographic Information System）表示機能を有しており、位置情報をキーにして、空間に関する情報と位置に関する情報を、重ね合わせて表示部２４０に表示させる機能を有している。具体的には、検査支援装置２００は、画像データＤ５０７に基づいて図面を表示するとともに、地図情報データＤ３０２に基づいて属性を表示する。同様に、データ生成装置１００の制御部１１０は、ＧＩＳ表示機能を有しており、データ生成装置１００は、画像データＤ５０７に基づいて図面を表示するとともに、地図情報データＤ３０２に基づいて属性を表示する。上述したように、アイコンや通芯等の属性は、図面上の座標に関連付けられている。そのため、アイコンや通芯等の属性は、表示部１５０、２４０に表示される際に、その属性に関連付けられた座標に対応する図面上の位置に重ねて表示される。
【００３７】
Ａ−２．検査支援処理：
次に、本実施形態の検査システム１０における検査支援処理の動作例を説明する。検査支援処理は、検査システム用データＤ１００を生成する支援準備処理と、生成された検査システム用データＤ１００に基づいて複数の検査支援装置２００の表示部２４０に構造物の図面や属性を表示し、各検査支援装置２００を利用する各検査員の検査を支援する支援実施処理と、データ生成装置１００の表示部１５０に各検査支援装置２００を用いて検査した検査結果を集計して表示する集計表示処理と、検査後に検査帳票を作成する帳票作成処理とを含む。
【００３８】
（１）支援準備処理
支援準備処理は、データ生成装置１００（図１）により実施される。データ生成装置１００の制御部１１０は、操作部１４０を介した操作に応じてユーザから検査システム用データＤ１００の生成指示を受け付けると、通信部１３０を介して図面データ保管サーバ３００から検査対象となる構造物の図面データＤ３０１を取得し、図面データＤ３０１を用いて地図情報データＤ３０２を生成することにより、検査種類別データＤ２０２を生成する。
【００３９】
具体的には、データ生成装置１００の制御部１１０は、操作部１４０を介した操作に応じてユーザから入力される内容に従って、地図情報データＤ３０２を生成する。構造物では、構造物を構成する構成部材上に検査の必要な検査位置が予め設定されており、各検査位置の検査内容が予め設定されている。ユーザは、図面データＤ３０１に基づき表示部１５０に表示された図面上、詳細には、図面に含まれる構成部材上の検査位置の座標を読み取り、検査位置の座標を示すデータをデータ生成装置１００に入力する。制御部１１０は、ユーザから入力されるデータから検査位置の位置データＤ４０１を生成する。また、ユーザは、各設定検査位置の検査内容を示すデータをデータ生成装置１００に入力する。制御部１１０は、ユーザから入力されるデータから設定検査位置の属性データＤ４０２を生成する。具体的には、制御部１１０は、検査位置に表示させる特定の種類のアイコンを指定するデータからアイコンデータＤ５０２を生成し、検査内容を指定するデータから検査データＤ５０６を生成し、検査対象となる構成部材である対象構成部材の断面図を示すデータから断面図データＤ５０８を生成する。なお、検査内容を指定する複数種類のデータが予め記憶部１２０に記憶されている場合には、記憶部１２０に記憶された複数種類のデータから１のデータを選択することで、検査データＤ５０６が生成されてもよい。
【００４０】
通芯については、ユーザは、図面上で通芯の座標を読み取り、通芯の座標を示すデータをデータ生成装置１００に入力する。データ生成装置１００の制御部１１０は、ユーザから入力されるデータから通芯の位置データＤ４０１を生成する。ユーザは、通芯の幅や表示色を設定し、通芯の幅や表示色を示すデータをデータ生成装置１００に入力する。制御部１１０は、ユーザから入力されるデータから通芯データＤ５０３を生成する。
【００４１】
通芯識別子については、データ生成装置１００の制御部１１０は、通芯の座標に関連付けて通芯識別子の位置データＤ４０１を生成する。具体的には、制御部１１０は、通芯の位置データＤ４０１から選択された１の位置データＤ４０１を通芯識別子の位置データＤ４０１として生成する。ユーザは、通芯識別子の形状や表示色を設定し、通芯識別子の形状や表示色を示すデータをデータ生成装置１００に入力する。制御部１１０は、ユーザから入力されるデータから通芯識別データＤ５０４を生成する。
【００４２】
検査支援装置２００の制御部２１０は、生成した位置データＤ４０１と属性データＤ４０２とを関連付ける対応関係データＤ４０３を生成し、位置データＤ４０１と、属性データＤ４０２と、対応関係データＤ４０３とを含む地図情報データＤ３０２を生成する。データ生成装置１００の制御部１１０は、地図情報データＤ３０２を生成すると、図面データ保管サーバ３００から取得した図面データＤ３０１と、生成した地図情報データＤ３０２とを含む検査種類別データを生成する。制御部１１０は、現場（つまり、構造物）毎、構造物のフロア毎、および、各現場において実施される検査種類毎に検査種類別データＤ２０２を生成し、個別現場データＤ１０２を生成する。制御部１１０は、通信部１３０を介して生成した個別現場データＤ１０２を検査システム用データ保管サーバ４００に送信して保管させる。
【００４３】
（２）支援実施処理
支援実施処理は、検査支援装置２００（図１）により実施される。以下では、支援実施処理の一例として、鉄筋コンクリート造の建築物の梁および柱の配筋検査を行う場合における動作例について説明する。検査支援装置２００の制御部２１０は、表示部２４０を介した操作に応じて検査者から検査開始の指示を受け付けると、支援実施処理を開始する。制御部２１０は、検査開始の指示に併せて、現場を特定する現場情報、および、検査者を特定する検査者情報を受け付ける。制御部２１０は、受け付けた現場情報に基づいて、通信部２３０を介して検査システム用データ保管サーバ４００から検査対象となる構造物の個別現場データＤ１０２を読み出し、記憶部２２０に記憶させる。つまり、制御部２１０は、通信部２３０を介して、検査システム用データ保管サーバ４００から図面データＤ３０１および地図情報データＤ３０２を含む個別現場データＤ１０２を取得する。記憶部２２０には、予めシステムデータＤ１０１が記憶されている。制御部２１０は、予め記憶されたシステムデータＤ１０１と、取得されえた個別現場データＤ１０２とにより検査システム用データＤ１００を取得する。
【００４４】
検査支援装置２００の制御部２１０は、支援実施処理を開始すると、検査者から入力される検査の種類を特定する検査種類情報と構造物のフロアを特定するフロア情報とに基づいて、個別現場データＤ１０２に含まれる複数の検査種類別データＤ２０２から１の検査種類別データＤ２０２を選択する。制御部２１０は、選択した検査種類別データＤ２０２に含まれる図面データＤ３０１に基づいて、表示部２４０に構造物の図面３０（図３参照）を表示させる。
【００４５】
図３は、図面３０を表示する図面表示画面ＨＦの一例を示す説明図である。図３には、検査支援装置２００の表示部２４０に図面３０の全体が表示された状態が示されている。図面表示画面ＨＦは、ヘッダ領域ＨＵと、図面表示領域ＨＺと、を含む。ヘッダ領域ＨＵは、検査者情報に基づく検査者コード（例えば、１２３４５６）と、検査種類情報に基づく検査識別子（例えば、配筋検査  梁、柱）と、フロア情報に基づくフロア識別子（例えば、０７Ｆ）と、を表示する領域である。図面表示領域ＨＺは、図面３０を表示する領域である。
【００４６】
検査支援装置２００の制御部２１０は、図面表示領域ＨＺに表示された図面３０の表示倍率と表示位置とを変更可能である。具体的には、制御部２１０は、表示部２４０を介した操作に応じて図面３０を任意の倍率に拡大・縮小して表示させ、または、図面３０をスクロールして表示させることが可能である。例えば、制御部２１０は、検査者から図面３０の拡大指示を受け付けると、表示部２４０に図面３０の一部を拡大して表示させる。
【００４７】
図４は、拡大された図面３０を表示する図面表示画面ＨＦの一例を示す説明図である。本実施形態では、検査支援装置２００において、図面表示画面ＨＦに図面３０の全体が表示された状態以外の状態では、図４に示すように、検査支援装置２００の制御部２１０は、表示部２４０に図面３０を表示させるとともに、ＧＩＳ表示機能により、地図情報データＤ３０２に基づいて属性を表示させる。具体的には、制御部２１０は、通芯データＤ５０３に基づいて通芯ＡＳ（ＡＳ１〜ＡＳ３）を表示させ、通芯識別データＤ５０４に基づいて通芯識別子ＡＭ（ＡＭ１〜ＡＭ３）を表示させ、アイコンデータＤ５０２に基づいて梁アイコンＡＧ（ＡＧ１〜ＡＧ５）と柱アイコンＡＣ（ＡＣ１，ＡＣ２）とを表示させる。
【００４８】
検査支援装置２００の制御部２１０は、通芯データＤ５０３に基づいて、通芯ＡＳを、通芯ＡＳに関連付けられた図面３０上の座標に対応する位置に表示させる。そのため、制御部２１０は、図面３０の表示倍率が変更されたことに応じて、通芯ＡＳの表示状態を更新する。具体的には、制御部２１０は、図面３０が拡大または縮小された場合には、その拡大または縮小に追従させて、通芯ＡＳが表示される位置を更新する。また、通芯識別子ＡＭは、対応する通芯ＡＳの座標に対応する位置に関連付けられている。そのため、制御部２１０は、図面３０の表示倍率が変更されたことに応じて、通芯識別子ＡＭの表示状態を更新する。本実施形態では、通芯識別子ＡＭは、対応する通芯ＡＳが表示部２４０の外周部と交差する位置のいずれか一方の周囲に表示される。
【００４９】
梁アイコンＡＧや柱アイコンＡＣは、各アイコンに関連付けられた図面３０上の座標に対応する検査位置に表示される。具体的には、図面３０には、構造物を構成する梁ＳＧ２や柱Ｃ１等の構成部材の図面が含まれており、梁アイコンＡＧや柱アイコンＡＣは、各アイコンに対応する構成部材上に表示される。本実施形態では、梁ＳＧ２の両端部の仕様が異なっており、梁ＳＧ２には、各端部に対応する２つの検査位置ＫＬ１、ＫＬ２が設定されている。そのため、梁ＳＧ２上には、検査位置ＫＬ１に梁アイコンＡＧ２が表示されるとともに、検査位置ＫＬ２に梁アイコンＡＧ３が表示される。図４には、梁ＳＧ２に２つの検査位置ＫＬ１、ＫＬ２が設定されているが、１つの構成部材に３つ以上の検査位置が設定されていてもよい。
【００５０】
梁アイコンＡＧおよび柱アイコンＡＣには、対象構造部材の種類を示す「柱」、「梁」等の表示が含まれ、対応する検査位置の検査結果により表示色が変化する。例えば、対応する検査位置の検査結果が「未確認」であると、表示色は黄色となり、対応する対応する検査位置の検査結果が「合格」であると、表示色は青色となり、対応する検査位置の検査結果が「不合格」であると、表示色は赤色となり、対応する検査位置の検査結果が「確認」であると、表示色は緑色となる。なお、図４では、全ての検査位置の検査結果が「未確認」であり、全ての梁アイコンＡＧおよび柱アイコンＡＣが黄色に表示されている。
【００５１】
また、表示部２４０は、図面３０上に現在位置マークＡＺを表示する。検査支援装置２００の制御部２１０は、地磁気センサ２６０とＧＰＳ受信部２７０とから、撮影部２５０の向きを特定する情報と検査支援装置２００の現在位置を特定する情報とを取得し、これらの情報を図面３０上における向きと位置とを示す情報に変換する。表示部２４０は、変換した向きと位置とを示す情報に基づいて現在位置マークＡＺを表示する。検査者は、現在位置マークＡＺを利用して図面３０上の複数の検査位置から所望の検査位置を決定する際の参考にすることができる。
【００５２】
検査支援装置２００の制御部２１０は、表示部２４０を介して検査位置ＫＬ１（以下、「選択検査位置ＫＬ１」という。）に表示された梁アイコンＡＧ２へのタップ（選択操作）を受け付けたことに応じて、表示部２４０に選択検査位置ＫＬ１における検査画面ＨＳを表示させる。図５は、選択検査位置ＫＬ１における検査画面ＨＳの一例を示す説明図である。図５は、検査が実施される前の検査画面ＨＳを示す。検査画面ＨＳは、選択検査位置ＫＬ１に対応する検査データＤ５０６に基づいて表示される。検査画面ＨＳは、前述したヘッダ領域ＨＵに加え、部材表示領域ＨＢと、検査結果表示領域ＨＫと、検査項目表示領域ＨＣと、画像取得領域ＨＰと、機能表示領域ＨＤと、を含む。部材表示領域ＨＢは、対象構造部材の種類を示す識別子（例えば、梁）と、対象構造部材の種別を示す符号（例えば、ＳＧ２）と、通芯ＡＳを基準とした検査位置を示す識別子（例えば、Ｘ通：１−１  Ｙ通：Ａ−Ｂ  Ａ通り側）と、を表示する領域である。
【００５３】
検査結果表示領域ＨＫは、検査結果を表示する領域であり、具体的には、図面３０において選択検査位置ＫＬ１に表示された梁アイコンＡＧ２と同一のアイコンを表示するアイコン表示欄ＨＫ１と、検査結果を入力する検査結果入力欄ＨＫ２と、を表示する領域である。検査結果は、他の種類の属性の一例である。検査結果入力欄ＨＫ２には、「未確認」、「合格」、「不合格」、「確認」が記載されたマルチウインドウ（不図示）を示す画面が関連付けられている。検査者は、検査結果入力欄ＨＫ２に検査結果を入力するときは、検査結果入力欄ＨＫ２をタップし、表示されるマルチウインドウから検査結果を選択することで、検査結果を入力することができる。
【００５４】
検査項目表示領域ＨＣは、検査内容の一例である検査項目を表示する領域であり、具体的には、検査種類に応じた検査項目を表示する項目表示欄ＨＣ１と、各検査項目が検査されたか否かを示す検査確認欄ＨＣ２と、検査した内容を記載可能な検査内容記載欄ＨＣ３と、表示部２４０に表示されていない検査項目を表示させるためのスクロールバーＨＣ４と、を表示する領域である。つまり、検査画面ＨＳは、検査結果と検査内容という複数種類の属性を表示する領域である。検査確認欄ＨＣ２には、対応する検査項目が未検査であることを示す「未」表示領域と、対応する検査項目が検査済であることを示す「確」表示領域（図７参照）とを含み、各検査項目に対して「未」表示領域と「確」表示領域のいずれか一方の表示領域が表示状態となる。検査者は、表示部２４０の検査確認欄ＨＣ２をスワイプすることで、表示状態の表示領域を切り替えることができる。
【００５５】
画像取得領域ＨＰは、検査結果としての画像を取得するための領域であり、具体的には、画像表示欄ＨＰ１と、カメラアイコンＨＰ２と、を表示する領域である。画像表示欄ＨＰ１は、選択検査位置ＫＬ１に対応する画像データＤ５０７のサムネイル画像を表示する欄であり、複数のサムネイル画像を同時に表示可能である。カメラアイコンＨＰ２は、画像データＤ５０７の取得を指示するためのアイコンである。具体的には、カメラアイコンＨＰ２には、「撮影部２５０で撮影する」内容と、「記憶部２２０から選択する」内容とが記載されたマルチウインドウ（不図示）を示す画面が関連付けられている。検査支援装置２００の制御部２１０は、検査者により「撮影部２５０で撮影する」内容が選択されると、撮影部２５０を起動し、検査者が撮影部２５０を用いて撮影した被写体の画像データを、被写体に対応する座標に関連付けて地図情報データＤ３０２に追加する。具体的には、制御部２１０は、被写体の画像データを、被写体に対応する地図情報データＤ３０２の画像データＤ５０７として記憶部２２０に記憶させる。また、制御部２１０は、検査者により「記憶部２２０から選択する」内容が選択されると、検査システム用データＤ１００とは別に記憶部２２０に記憶されている画像データを、選択検査位置ＫＬ１に対応する地図情報データＤ３０２に追加する。
【００５６】
機能表示領域ＨＤは、保存アイコンＨＤ１と、位置図表示アイコンＨＤ２と、施工資料表示アイコンＨＤ３と、戻るアイコンＨＤ４と、を表示する領域である。保存アイコンＨＤ１は、検査結果表示領域ＨＫと検査項目表示領域ＨＣとに入力された内容の保存を指示するためのアイコンである。位置図表示アイコンＨＤ２は、表示部２４０の表示を、検査画面ＨＳから図面表示画面ＨＦに切り替えることを指示するためのアイコンである。施工資料表示アイコンＨＤ３は、表示部２４０に、検査内容の一例である断面図ＤＡ等の施工資料の表示を指示するためのアイコンである。戻るアイコンＨＤ４は、検査結果表示領域ＨＫや検査項目表示領域ＨＣにおいて入力された内容を、入力前の内容に戻すことを指示するためのアイコンである。
【００５７】
図６は、梁ＳＧ２の選択検査位置ＫＬ１における断面図ＤＡの一例を示す説明図である。図７に、梁ＳＧ２の検査位置ＫＬ２における断面図ＤＡの一例を比較して示す。本実施形態では、梁ＳＧ２の両端部の仕様が異なっているため、選択検査位置ＫＬ１における断面図ＤＡと検査位置ＫＬ２における断面図ＤＡとが、互いに異なる。すなわち、１つの梁ＳＧ２に設定された２つの検査位置ＫＬ１、ＫＬ２において、選択検査位置ＫＬ１に関連付けられた属性データＤ４０２の断面図データＤ５０８と、検査位置ＫＬ２に関連付けられた属性データＤ４０２の断面図データＤ５０８とが、互いに異なる。
【００５８】
図８は、１回目の検査が実施された後の検査画面ＨＳを示す。１回目の検査では、検査項目表示領域ＨＣに表示された全ての検査項目に対して検査が行われる。その結果、検査確認欄ＨＣ２では、全ての検査項目に対して「確」表示領域が表示状態となり、必要に応じて検査内容記載欄ＨＣ３に検査した内容が記載される。本実施形態では、１回目の検査において、「継手」の検査項目において不備が検出されたものとする。そのため、表示部２４０を介した操作に応じて検査結果表示領域ＨＫの検査結果入力欄ＨＫ２には、「不合格」が入力され、これに伴って、アイコン表示欄ＨＫ１におけるアイコンの表示色が赤色に変化する。具体的には、検査支援装置２００の制御部２１０は、選択検査位置ＫＬ１に関連付けられた属性データＤ４０２のアイコンデータＤ５０２を更新し、選択検査位置ＫＬ１に表示されるアイコンの表示色を切り替える。
【００５９】
また、１回目の検査では、撮影部２５０を用いて不備のあった「継手」の画像である検査結果画像ＰＨ１（図９参照）が撮影される。検査支援装置２００の制御部２１０は、検査結果画像ＰＨ１の画像データを選択検査位置ＫＬ１に対応する地図情報データＤ３０２の画像データＤ５０７として記憶部２２０に記憶させる。制御部２１０は、検査結果画像ＰＨ１の画像データＤ５０７に基づいて、表示部２４０に検査結果画像ＰＨ１のサムネイル画像ＨＰ３を表示させる。これにより、画像取得領域ＨＰの画像表示欄ＨＰ１に、検査結果画像ＰＨ１のサムネイル画像ＨＰ３が表示される。すなわち、表示部２４０には、選択検査位置ＫＬ１における検査内容および検査結果とともにサムネイル画像ＨＰ３が表示される。制御部２１０は、表示部２４０を介して画像表示欄ＨＰ１に表示されたサムネイル画像ＨＰ３へのタップを受け付けたことに応じて、サムネイル画像ＨＰ３に対応する検査結果画像ＰＨ１を表示部２４０に表示させる。
【００６０】
図９は、検査結果画像ＰＨ１の表示画面を示す。表示画面には、検査結果画像ＰＨ１の他に、検査結果画像ＰＨ１に文字や記号などの指示画像の追加を指示する追加アイコンＡＴ１と、検査結果画像ＰＨ１の削除を指示する削除アイコンＡＴ２とが含まれる。指示画像は、第２の付加画像の一例である。検査支援装置２００の制御部２１０は、表示部２４０を介して追加アイコンＡＴ１へのタップを受け付けると、検査者の表示部２４０を介した操作に基づいて指示画像を追加する。具体的には、検査者が検査結果画像ＰＨ１上に矢印画像ＴＫ１を記載すると、制御部２１０は、その矢印画像ＴＫ１を示す指示画像を追加する。また、検査者が検査結果画像ＰＨ１上に文字画像ＴＫ２を入力すると、制御部２１０は、その文字画像ＴＫ２を示す指示画像を追加する。制御部２１０は、指示画像の追加を終了すると、指示画像が追加された検査結果画像ＰＨ１を上書きして保存する（図１０参照）。そのため、次回以降に表示部２４０に検査結果画像ＰＨ１が表示される場合には、指示画像が追加された後の検査結果画像ＰＨ１が表示される。
【００６１】
１回目の検査の終了後、１回目の検査結果に基づいて、構造物に是正工事を行う是正業者により是正工事が行われる。是正業者は、選択検査位置ＫＬ１における検査画面ＨＳの検査項目表示領域ＨＣに表示された内容から、是正の対象が「継手」であることを理解することができる。また、是正業者は、画像取得領域ＨＰのサムネイル画像ＨＰ３に追加された矢印画像ＴＫ１や文字画像ＴＫ２（図９）により、是正の詳細な内容を理解することができる。是正業者による是正工事後、検査者は構造物の選択検査位置ＫＬ１の検査を再び実施する。
【００６２】
図１０は、２回目の検査が実施された後の検査画面ＨＳを示す。２回目の検査では、１回目の検査結果において不備が検出された「継手」の検査項目に対して検査が行われる。検査項目表示領域ＨＣの「継手」の検査項目に対する検査内容記載欄ＨＣ３では、再確認が行われたことを示す内容が記載される。また、２回目の検査では、撮影部２５０を用いて是正工事後の「継手」の画像である是正画像ＰＨ２（図１３参照）が撮影される。検査者は、検査結果画像ＰＨ１のサムネイル画像ＨＰ３を参照して、是正画像ＰＨ２を検査結果画像ＰＨ１に似せて撮影することができる。検査支援装置２００の制御部２１０は、是正画像ＰＨ２の画像データを地図情報データＤ３０２の画像データＤ５０７として記憶部２２０に記憶させる。つまり、制御部２１０は、１つの選択検査位置ＫＬ１に対応する図面３０上の１つの座標に、属性としての検査結果画像ＰＨ１と是正画像ＰＨ２との両方の画像を関連付けて記憶部２２０に記憶させる。
【００６３】
検査支援装置２００の制御部２１０は、検査結果画像ＰＨ１の画像データに基づいて、表示部２４０に検査結果画像ＰＨ１のサムネイル画像ＨＰ３を表示させるとともに、是正画像ＰＨ２の画像データに基づいて、表示部２４０に是正画像ＰＨ２のサムネイル画像ＨＰ４を表示させる。表示部２４０は、画像取得領域ＨＰの画像表示欄ＨＰ１に、検査結果画像ＰＨ１のサムネイル画像ＨＰ３と、是正画像ＰＨ２のサムネイル画像ＨＰ４とを同時に表示する。本実施形態では、２回目の検査において、「継手」の検査項目における不備が解消したものとする。そのため、表示部２４０を介した操作に応じて検査結果表示領域ＨＫの検査結果入力欄ＨＫ２の入力が、「不合格」から「合格」に更新され、これに伴って、アイコン表示欄ＨＫ１におけるアイコンの表示色が青色に更新される。そのため、図１１に示すように、表示部２４０の表示を、検査画面ＨＳから図面表示画面ＨＦに切り替えると、選択検査位置ＫＬ１の梁アイコンＡＧ２の表示色が青色に変化する。なお、図１０のサムネイル画像ＨＰ４に示すように、是正画像ＰＨ２にも不備が解消したことを示す指示画像が追加されていてもよい。
【００６４】
（３）集計表示処理
集計表示処理は、データ生成装置１００（図１）により実施される。以下では、集計表示処理の一例として、選択検査位置ＫＬ１における検査結果が「不合格」から「合格」に更新された場合における動作例について説明する。データ生成装置１００の制御部１１０は、検査支援装置２００の表示部２４０を介した操作に応じて、表示部２４０に表示された選択検査位置ＫＬ１の検査画面ＨＳのうちの検査結果入力欄ＨＫ２の入力が「不合格」から「合格」に更新されると、つまり、表示部２４０が「合格」の検査結果を指定する操作を受け付けると、通信部１３０を介して検査支援装置２００から「合格」の検査結果を受信する。具体的には、検査支援装置２００の制御部２１０は、表示部２４０を介した操作に応じて「合格」の検査結果を受信した後に、表示部２４０を介した操作に応じて検査システム用データ保管サーバ４００との同期指示を受け取ると、検査システム用データ保管サーバ４００と同期し、検査結果を受信した選択検査位置ＫＬ１に関連付けられた属性データＤ４０２を検査システム用データ保管サーバ４００に送信して保管させる。制御部１１０は、一定期間毎に検査システム用データ保管サーバ４００から属性データＤ４０２を読み出しており、これにより、選択検査位置ＫＬ１の「合格」の検査結果を受信する。
【００６５】
データ生成装置１００の制御部１１０は、検査支援装置２００から選択検査位置ＫＬ１の「合格」の検査結果を受信すると、つまり、検査システム用データ保管サーバ４００から属性データＤ４０２を読み出すと、属性データＤ４０２を更新する。これにより、選択検査位置ＫＬ１に対応する属性データＤ４０２の検査データＤ５０６に含まれる検査結果が、「不合格」から「合格」に更新される。また、選択検査位置ＫＬ１に対応する属性データＤ４０２のアイコンデータＤ５０２が、「合格」の審査結果に対応する表示色のアイコンを示すデータに更新される。これにより、表示部１５０に表示された図面３０上のアイコンの表示色が赤色から青色に切り替えられる。
【００６６】
図１２は、表示部１５０に表示された図面３０を表示する図面表示画面ＨＦの一例を示す説明図である。上述したように、データ生成装置１００の制御部１１０は、ＧＩＳ表示機能を有しており、制御部１１０は、表示部１５０に図面３０を表示させるとともに、地図情報データＤ３０２に基づいて、例えば梁アイコンＡＧや柱アイコンＡＣ等の属性を表示させる。図１２では、データ生成装置１００は、図面表示画面ＨＦに図面３０の全体が表示された状態において、梁アイコンＡＧや柱アイコンＡＣを表示させている。表示部１５０に表示された図面３０では、選択検査位置ＫＬ１に対応するアイコンデータＤ５０２の更新により、選択検査位置ＫＬ１に表示されたアイコンの表示色が赤色から青色に切り替えられる。
【００６７】
データ生成装置１００の制御部１１０は、各検査支援装置２００が受信した検査結果を、一定期間毎に検査システム用データ保管サーバ４００を介して一括して受信し、上記の処理を実施する。そのため、表示部１５０には、複数の検査支援装置２００から集計された検査結果が、アイコンの表示色として表示される。また、制御部１１０は、各検査位置に関連付けられた属性データＤ４０２の更新を反映させるように個別現場データＤ１０２を更新し、更新された個別現場データＤ１０２を検査システム用データ保管サーバ４００に保管させる。更新された個別現場データＤ１０２は、検査支援装置２００と検査システム用データ保管サーバ４００との同期により検査支援装置２００に読み出され、検査支援装置２００における検査システム用データＤ１００が更新される。
【００６８】
（４）帳票作成処理
帳票作成処理は、データ生成装置１００（図１）により実施される。データ生成装置１００の制御部１１０は、操作部１４０を介した操作に応じて検査者または管理者から検査帳票ＣＨ（図１３参照）を表す検査帳票データの作成指示を受け付けると、帳票作成処理を実施する。制御部１１０は、検査システム用データ保管サーバ４００を介して検査支援装置２００から受信した属性データＤ４０２に基づいて検査帳票データを作成する。図１３は、検査帳票ＣＨの一例を示す説明図である。検査帳票ＣＨには、結果表示欄ＣＹと、図面表示欄ＣＧと、選択検査位置表示欄ＣＩとを含む。
【００６９】
結果表示欄ＣＹは、検査に関する各項目を表示する欄であり、属性データＤ４０２により示される各種の属性、例えば検査種類情報に基づく検査識別子（例えば、配筋検査）や検査結果（例えば、合格）等を表示する欄である。図面表示欄ＣＧは、画像データＤ５０７に基づく画像を表示する欄であり、具体的には検査結果画像ＰＨ１と是正画像ＰＨ２とを表示する欄である。
【００７０】
選択検査位置表示欄ＣＩは、図面３０の表示画像ＰＨ３を表示する欄である。検査支援装置２００の制御部２１０は、表示部２４０を介した操作に応じて表示部２４０に表示された図面３０の表示画像ＰＨ３を取得可能である。制御部２１０は、検査者の操作により選択検査位置ＫＬ１を含む範囲の表示画像ＰＨ３を取得すると、表示画像ＰＨ３上の選択検査位置ＫＬ１に対応する領域ＴＲ、すなわち梁アイコンＡＧ２が表示された領域ＴＲに、選択検査位置ＫＬ１を識別する識別画像ＴＫ３を追加する。識別画像は、第１の付加画像の一例である。制御部２１０は、識別画像ＴＫ３の追加を終了すると、識別画像ＴＫ３が追加された表示画像ＰＨ３を上書きし、その画像データを保存する。データ生成装置１００の制御部１１０は、検査支援装置２００から受信した属性データＤ４０２に含まれる表示画像ＰＨ３の画像データを用いて、検査帳票ＣＨの選択検査位置表示欄ＣＩに表示画像ＰＨ３を貼り付ける。
【００７１】
以上説明したように、本実施形態の検査支援装置２００では、表示部２４０は、図面データＤ３０１に基づいて構造物の図面３０を表示するとともに、地図情報データＤ３０２に基づいて属性を表示する。表示部２４０は、属性を表示する際に、図面３０上の検査位置にアイコンを表示し、アイコンへのタップを受け付けたことに応じて、検査内容や検査内容を含む複数種類の属性を表示する。アイコンは、図面３０上の検査位置に表示されるので、アイコンによって検査位置を容易に把握することができる。
【００７２】
また、図面３０上の検査位置には、アイコン以外の複数種類の属性が表示されないので、属性の存在の表示が乱雑となることを抑制することができる。例えば、図４、図１２に示す図面３０において、図面３０上の検査位置にアイコン以外の複数種類の属性が表示されると、アイコン以外の複数種類の属性の表示によりアイコンが覆われてしまい、検査位置を把握することができないことがある。また、アイコン以外の複数種類の属性が、各検査位置から引出線により引き出されて表示されると、各検査位置から引き出された複数の引出線同士が互いに交差して表示されたり、引出線の交差を避けるために、アイコン以外の複数種類の属性が検査位置から離れた位置に表示されたりするなど、検査位置と属性との対応関係が不明瞭となる。このように、図面３０上の検査位置にアイコン以外の複数種類の属性が表示されると、属性の存在の表示が乱雑となる。本実施形態の検査支援装置２００では、図面３０上の検査位置にアイコン以外の複数種類の属性が表示されないので、属性の存在の表示が乱雑となることを抑制することができる。
【００７３】
さらに、アイコン以外の複数種類の属性は、アイコンへのタップにより表示されるため、アイコンへのタップにより所望の検査位置における複数種類の属性を表示させることができるとともに、アイコンを介して複数種類の属性と検査位置との対応関係を明瞭とすることができる。
【００７４】
検査位置は、構造物を構成する構成部材上に設定され、例えば梁ＳＧ２のように、部分毎に仕様が異なる構成部材に対しては、部分毎に複数の検査位置ＫＬ１、ＫＬ２が設定される。そして、１つの構成部材に設定された複数の検査位置ＫＬ１、ＫＬ２では、検査位置ＫＬ１における断面図と、検査位置ＫＬ２における断面図とが互いに異なるなど、検査位置ＫＬ１における検査内容と、検査位置ＫＬ２における検査内容断面図とが互いに異なる。そのため、部分毎に仕様が異なる構成部材に対して、仕様の違いに基づいて、部分毎に異なる検査内容を対応付けることができる。
【００７５】
また、本実施形態の検査支援装置２００では、検査者から入力された選択検査位置ＫＬ１における検査結果により、選択検査位置ＫＬ１に表示されるにおける梁アイコンＡＧ２の種類、詳細には梁アイコンＡＧ２の表示色を切り替える。そのため、検査者は、表示部２４０に表示されるアイコンの表示色により、梁アイコンＡＧ２をタップして梁アイコンＡＧ２が表示された選択検査位置ＫＬ１における検査結果を表示することなく、選択検査位置ＫＬ１における検査結果を確認することができ、利便性を向上させることができる。
【００７６】
また、本実施形態のデータ生成装置１００では、操作部１４０を介した操作に応じてデータ生成装置１００の制御部１１０が検査帳票ＣＨを表す検査帳票データを作成するので、ユーザは、自ら検査帳票情報を作成する必要がなく、利便性を向上させることができる。
【００７７】
検査帳票ＣＨは、選択検査位置ＫＬ１の検査結果を含むため、検査帳票ＣＨにより選択検査位置ＫＬ１の検査結果を確認することができる。また、検査帳票ＣＨには、選択検査位置ＫＬ１に位置する被写体の画像が含まれるため、検査帳票ＣＨにより選択検査位置ＫＬ１における被写体の様子を、視覚的に確認することができる。
【００７８】
さらに、検査帳票ＣＨには、検査支援装置２００の表示部２４０により取得され、データ生成装置１００の制御部１１０により受信された表示画像ＰＨ３であって、選択検査位置ＫＬ１が表示された状態の図面３０の表示画像ＰＨ３が含まれるため、検査帳票ＣＨにより図面３０上における選択検査位置ＫＬ１を確認することができる。特に、表示画像ＰＨ３には、表示画像ＰＨ３上の選択検査位置ＫＬ１に対応する領域ＴＲ、すなわち梁アイコンＡＧ２が表示された領域ＴＲに、選択検査位置ＫＬ１を識別する識別画像ＴＫ３が追加されているので、識別画像ＴＫ３が追加されていない場合に比べて、図面３０上の選択検査位置ＫＬ１を容易に確認することができる。
【００７９】
また、本実施形態の検査支援装置２００では、撮影部２５０等で撮影された画像が図面３０上の座標に関連付けられるので、図面３０上の各検査位置に対応させて、画像を保持することができる。特に、本実施形態の検査支援装置２００では、図面３０上の１つの座標に、複数の画像を関連付けることができるので、図面３０上の各検査位置に対応させて、例えば是正工事前の検査結果画像ＰＨ１と是正工事後の是正画像ＰＨ２を保持することができ、あるいは、同じ被写体を異なる角度から複数回撮影することができ、利便性を向上させることができる。
【００８０】
また、本実施形態の検査支援装置２００では、属性にサムネイル画像が含まれ、検査画面ＨＳにおいて、他の属性である検査内容や検査結果とともに表示される。そのため、検査者は、表示部２４０に表示されるサムネイル画像により、どのような画像が撮影されているかを確認することができるとともに、検査内容や検査結果と撮影された画像との関係、例えば、検査結果と撮影された画像とが対応するものであるか否かを確認することができる。また、検査者は、表示部２４０に表示されたサムネイル画像をタップすることで、選択されたサムネイル画像に対応する画像を詳細に確認することができる。
【００８１】
また、本実施形態の検査支援装置２００では、表示部２４０に表示された画像に指示画像を追加することができるので、例えば検査結果画像ＰＨ１に含まれる不備部分の周囲に指示画像を追加しておくことで、指示画像を追加しない場合に比べて、図面を利用して修正者などの他人に不備の内容を容易に伝達することができる。
【００８２】
また、本実施形態では、データ生成装置１００の制御部１１０は、通信部１３０が検査支援装置２００から検査結果を受信したことに応じて、属性データＤ４０２を更新する。属性データＤ４０２の更新では、データ生成装置１００の制御部１１０は、例えばアイコンデータＤ５０２を更新し、表示部１５０の検査結果に関連付けられた検査位置に表示される梁アイコンＡＧ２の種類、詳細には梁アイコンＡＧ２の表示色を切り替える。これにより、データ生成装置１００を使用する管理者は、表示部１５０に表示されるアイコンの表示色により、検査の進行状況および検査結果を把握することができ、利便性を向上させることができる。
【００８３】
また、本実施形態では、データ生成装置１００の制御部１１０は、複数の検査支援装置２００のそれぞれから検査結果を受信し、属性データＤ４０２を更新する。そのため、データ生成装置１００を使用する管理者は、例えば複数の検査者が複数の検査支援装置２００を用いて同時に実施する検査の進行状況および検査結果をまとめて把握することができ、利便性を向上させることができる。
【００８４】
Ｂ．変形例：
本明細書で開示される技術は、上述の実施形態に限られるものではなく、その要旨を逸脱しない範囲において種々の形態に変形することができ、例えば次のような変形も可能である。
【００８５】
上記実施形態では、構造物の図面として二次元図面のみを用いる例を示したが、二次元図面と三次元図面とを用いてもよい。すなわち、検査支援装置２００の表示部２４０に、構造物の三次元図面と二次元図面とが切替可能に表示されており、ユーザが必要に応じて検査支援装置２００の表示部２４０に構造物の二次元図面を表示させ、上記の検査支援処理を実施させてもよい。
【００８６】
上記実施形態では、検査システム１０は、データ生成装置１００と、検査支援装置２００とに加えて、図面データ保管サーバ３００と、検査システム用データ保管サーバ４００とを備える例を示したが、図面データ保管サーバ３００と検査システム用データ保管サーバ４００とが、１つのサーバにより構成されていてもよい。また、画像データＤ５０７が、例えばデータ生成装置１００で生成される等、データ生成装置１００に取得されて記憶部１２０に記憶されている場合には、図面データ保管サーバ３００は必ずしも必要ではない。また、検査システム用データＤ１００が、データ生成装置１００から検査支援装置２００に直接送信され、属性データＤ４０２が、検査支援装置２００からデータ生成装置１００に直接送信される場合には、検査システム用データ保管サーバ４００は必ずしも必要ではない。
【００８７】
上記実施形態では、構造物の各位置の属性としてアイコンや検査内容等を挙げて説明したが、属性は上記の例に限られない。具体的には、属性は、アイコンと検査内容と少なくとも１つの他の種類の属性を含むものの、少なくとも１つの他の種類の属性の数や種類は上記の例に限られない。ここで、検査内容とは、検査画面ＨＳの検査項目表示領域ＨＣの検査内容記載欄ＨＣ３に記載された内容、および、機能表示領域ＨＤの施工資料表示アイコンＨＤ３により表示される断面図ＤＡ等の施工資料等を含む。また、図面は、必ずしも構造物の各検査位置に複数の図面が関連付けられている必要はなく、１つの図面が関連つけられていてもよければ、図面が関連付けられていなくてもよい。なお、通芯や通芯識別子は、属性に含まれるものの、検査位置に対応する座標とは異なる座標に関連付けられているため、複数種類の属性に含まれない。
【００８８】
上記実施形態では、検査支援装置２００の表示部２４０が、操作受付部を兼ねている例を示したが、検査支援装置２００は、表示部２４０とは別に操作受付部を備えていてもよい。
【００８９】
上記実施形態では、検査者から入力された選択検査位置ＫＬ１における検査結果により、選択検査位置ＫＬ１に表示されるにおける梁アイコンＡＧ２を、形状が等しく、表示色が異なるアイコンを切り替える例を示したが、これに限られない。例えば、例えば表示色が等しく、互いに形状の異なるアイコンに切り替えられてもよければ、形状および表示色の異なるアイコンに切り替えられてもよい。
【００９０】
上記実施形態では、選択検査位置ＫＬ１の検査帳票ＣＨがデータ生成装置１００により作成される例を示したが、これに限られず、検査支援装置２００により実施されてもよい。また、選択検査位置ＫＬ１の検査帳票ＣＨに記載される内容として検査結果や選択検査位置ＫＬ１に位置する被写体の画像等を挙げて説明したが、検査帳票ＣＨに記載される内容は上記の例に限られない。検査帳票ＣＨに記載される内容は、検査結果を含むものの、上記の例の検査結果以外の例を含まなくてもよい。例えば、選択検査位置ＫＬ１に位置する被写体の画像は、必ずしも検査帳票ＣＨに記載される必要はなく、また、表示部２４０に選択検査位置ＫＬ１が表示された状態の図面３０の表示画像ＰＨ３も、必ずしも検査帳票ＣＨに記載される必要はない。
【００９１】
上記実施形態では、表示部２４０にサムネイル画像を表示するときに、サムネイル画像が検査内容や検査結果とともに表示される例を示したが、これに限られず、サムネイル画像が図面３０とともに表示されるようにしてもよい。また、サムネイル画像が、検査内容や検査結果とともに表示され、かつ、図面３０とともに表示されるようにしてもよい。
【００９２】
上記実施形態では、指示画像を追加された検査結果画像ＰＨ１が上書き保存される例を示した。つまり、追加された指示画像が検査結果画像ＰＨ１と一体として保存される例を示した。しかし、これに限られず、追加された指示画像が検査結果画像ＰＨ１とは別に保存されてもよい。同様に、上記実施形態では、識別画像ＴＫ３を追加された表示画像ＰＨ３が上書き保存される例を示した。つまり、追加された識別画像ＴＫ３が表示画像ＰＨ３と一体として保存される例を示した。しかし、これに限られず、追加された識別画像ＴＫ３が表示画像ＰＨ３とは別に保存されてもよい。
【００９３】
上記実施形態では、検査支援装置２００の表示部２４０に現在位置マークＡＺを表示する例を示したが、現在位置マークＡＺはかならずしも表示される必要はない。また、上記実施形態では、現在位置マークＡＺを表示するために、地磁気センサ２６０とＧＰＳ受信部２７０とを用いる例を示したが、これに限られず、他の手法により現在位置マークＡＺが表示されてもよい。
【００９４】
上記実施形態では、データ生成装置１００の制御部１１０が、検査支援装置２００から検査結果を受信するときに、検査システム用データ保管サーバ４００を介して審査結果を受信する例を示したが、これに限られない。例えば、制御部１１０が、検査支援装置２００から審査結果を直接受信してもよい。
【００９５】
上記実施形態では、データ生成装置１００の表示部１５０に、図面３０やアイコン等の属性が表示される例を示したが、表示部１５０に図面３０やアイコン等の属性が必ずしも表示される必要はない。
【符号の説明】
【００９６】
１０：検査システム  ３０：二次元図面  １００：データ生成装置  １１０：制御部  １２０：記憶部  １３０：通信部  １４０：操作部  １５０：表示部  ２００：検査支援装置  ２１０：制御部  ２２０：記憶部  ２３０：通信部  ２４０：表示部  ２５０：撮影部  ３００：図面データ保管サーバ  ４００：検査システム用データ保管サーバ  ＡＣ：柱アイコン  ＡＧ：梁アイコン  ＣＨ：検査帳票  Ｄ１００：検査システム用データ  Ｄ３０１：図面データ  Ｄ３０２：地図情報データ  Ｄ４０１：位置データ  Ｄ４０２：属性データ  Ｄ４０３：対応関係データ  Ｄ５０６：検査データ  ＨＦ：図面表示画面  ＨＰ３、ＨＰ４：サムネイル画像  ＨＳ：検査画面  ＫＬ１：選択検査位置  ＫＬ２：検査位置  ＰＨ１：検査結果画像  ＰＨ２：是正画像  ＰＨ３：表示画像
【図１】
0006689001.tif 000002
【図２】
0006689001.tif 000003
【図３】
0006689001.tif 000004
【図４】
0006689001.tif 000005
【図５】
0006689001.tif 000006
【図６】
0006689001.tif 000007
【図７】
0006689001.tif 000008
【図８】
0006689001.tif 000009
【図９】
0006689001.tif 000010
【図１０】
0006689001.tif 000011
【図１１】
0006689001.tif 000012
【図１２】
0006689001.tif 000013
【図１３】
0006689001.tif 000014